(57)【要約】      （修正有）【課題】乳幼児の体温を正確に測定することができるおしゃぶり体温計を提供する。【解決手段】おしゃぶり部とデータ処理部からなる。おしゃぶり部は、口に咥える乳首部と、鍔部とによってなり、かつ温度検知素子と、該温度検知素子と電気的に接続する接栓とを内設してなる。データ処理部は、基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなる。接栓に接栓座を接続することによって、該おしゃぶり部と該データ処理部とを着脱自在に接続するとともに、該おしゃぶり部の温度検知素子と該不完全な温度測定回路とが電気的に接続し、完全な温度測定回路を形成して体温測定に供する。【選択図】図１
0003161231.tif 000002
【実用新案登録請求の範囲】
【請求項１】
少なくとも一つの温度感応部品接続ユニットを含むおしゃぶり体温計の構造である。電源スイッチ、ディスプレイ器、測定器、集積回路がコントロールし、且つ少なくとも感応部品の不完全な体温測定電子回路（板）、不完全な電子体温測定電子回路（板）はその抵抗値の相違相対  温度感応部品における  相応する範囲内の参考電気抵抗、おしゃぶりが設置されたおしゃぶり、以上述べた部品は連結ユニットを部品は接続結合後、効果のある完全な電子体温計測電子回路となる。使用者はおしゃぶり、測定器を組み合わせ使用時、温度感応部品と参考電気抵抗の抵抗値を調節する必要なく、正確な温度を計ることができる。 
【請求項２】
以下のものを含むおしゃぶり体温計の構造。おしゃぶり内に少なくとも温度感応部品、参考電気抵抗、接続ユニット、電源スイッチ、ディスプレイ器、測定器をもつ。集積回路はコントロールし、且つ少なくとも感応部品が不足しており、不完全な体温測定電子回路（板）である。おしゃぶり連接ユニット結合の連接部品を設置している。以上述べた部品は連結ユニットを部品は接続結合後、効果のある完全な電子体温計測電子回路となる。使用者はおしゃぶり、測定器を組み合わせ使用時、温度感応部品と参考電気抵抗の抵抗値を調節する必要なく、正確な温度を計ることができる。
【請求項３】
おしゃぶり体温計の構造において、軟質の材料で作られた請求項1に記載のおしゃぶり体温計の構造。
【請求項４】
軟質の材料で作られた、請求項２に記載のおしゃぶり体温計の構造。
【請求項５】
おしゃぶりが連接ユニットを覆うことができる弾性の蓋を連接に繋がっていることを特徴とする請求項３又は請求項4に記載のおしゃぶり体温計の構造。
【請求項６】
温度を感知する部品（sensor）である温度感応部品を持っていない測定器を特徴とする請求項１又は請求項２に記載のおしゃぶり体温計の構造。
【請求項７】
測定器の中にアラーム器があり、アラーム器は電子回路上に開けられた穴の中に設置されていることを特徴とする請求項１又は請求項２に記載のおしゃぶり体温計の構造。
【請求項８】
ディスプレイ器の後ろにはバックライトがあり、電子回路中に温度を感知する部品（sensor）である温度感応部品を持っていない測定器を特徴とする請求項１項又は請求項２に記載のおしゃぶり体温計の構造。
【請求項９】
温度感応部品或いは連接ユニット中に発射電子回路が設置され、測定器の不完全な体温測定電子回路中にコードレス通信回路があり、体温測定の結果を中央コントロールシステムまで伝達することを特徴とする請求項１又は請求項２に記載のおしゃぶり体温計の構造。
【請求項１０】
測定器本体の中に軟質或いは硬質のプリント基板及び機蕊が設置され、電子回路及び機蕊は結合していることを特徴とする請求項１又は請求項２に記載のしゃぶり体温計の構造。
【請求項１１】
参考電気抵抗と温度感応部品の抵抗値差違が相応の範囲内に保持されていることを特徴とする請求項１又は請求項２に記載のおしゃぶり体温計の構造。
【請求項１２】
プリント基板は弾性のある連接部品に繋がっており、弾性のある連接部品は一定の長さを持っており、測定器のへこみ部分において巻き取ることができ、一端は連接部品に設置され、連接ユニットとともに差し込んで設置する結合をすることを特徴とする請求項１又は請求項２に記載のおしゃぶり体温計の構造。
【請求項１３】
おしゃぶりは弾力性のある蓋をもっており、蓋には穴があいている。また、おしゃぶりは容器部分を持ち、容器部分の中にはプラグとプラグ受け口を入れるカセット入れがある。おしゃぶりと測定器は取り外すことができ、単独使用時、おしゃぶりの容器部分は蓋で覆われ、容器部分の中に設置されたプラグ部分及び温度感応部品を塵、湿気から守る効果があることを特徴とする請求項１又は請求項２に記載のおしゃぶり体温計の構造。
【請求項１４】
温度感応部品はカバーによって覆われており、カバーがおしゃぶりの乳首部分中に固定されることにより温度感応部品も固定されることを特徴とする請求項１又は請求項２に記載のおしゃぶり体温計の構造。
【考案の詳細な説明】
【技術分野】
【０００１】
本考案はおしゃぶり体温計の構造に関する。
【背景技術】
【０００２】
電子体温計が考案される以前、水銀が熱を受けると自然に膨張し、冷却されると自然に収縮するという原理を体温測定の過程に応用した水銀体温計は、人体の体温を測定することにおいて広く使用されていた。水銀体温計のプローブ先端部＜水銀感温筒＞が熱を受けた時、水銀は自然に膨張し、膨張後の水銀はガラス棒の中の毛細菅内に進んでいき、使用者は外部に刻んである目盛り表により測定結果を知ることができる。ただし、近年では水銀の汚染レベルが高い為、電子温度測量技術を利用した電子体温計に取って代わられ、旧式の汚染水銀体温計は既に過去の物となっている。  
【０００３】
電子温度計の測定原則は以下のことを応用している。集積回路に造られたタイミングサーキットは、内蔵のRC振動子が外部参考電気低抗とコンデンサーに基づく特定の数の振動サイクルを発生させる参考時間の間隔を得る。 そして、参考時間の間隔は、同じ参考時間の間隔中に外部のサーミスタ(すなわち、測温体)とコンデンサーに基づいたRC振動子で発生する振動サイクルの数を数えるために費やされる。マイクロプロセッサは、測定振動サイクルに基づく温度値について計算して、数字としてディスプレイ器へ信号を送り、測定温度が液晶表示される。  
【０００４】
温度値は上述の原理で演算されており、集積回路には予定された温度値(通常37℃或いはCか98.6°F)があり、サーミスタが構成されるので、予定された温度ではサーミスタとコンデンサーに基づく振動数は参考電気抵抗とコンデンサーに基づく振動数と同じである。そして、基準として予定された温度値を使用して、測定温度について計算するのに2つの振動数の違いを使用することができる。2つの振動数が同じコンデンサーに基づいている。よって、もし、演算後された後の温度差違が一定の範囲内に保たれていれば、即ち、参考電気抵抗と特定の温度＜一般環境の温度設定として、参考電気抵抗２５℃、サーミスタ３７℃＞における参考電気抵抗とサーミスタの抵抗値の差違も相応の範囲内に保たれているといえる。一般的に使われている電子体温計の測定電子回路設計は、上述の参考電気抵抗とサーミスタが計測電子回路上に固定されて置かれており、参考電気抵抗と電子温度計のサーミスタの組み合わせは互換性を備えていない。  
【０００５】
電子体温計は割れにくく、汚染すること無く、測定精度が比較的高く、且つ測定時間が比較的短く、既に汚染レベルの高い水銀体温計に取って代わっている。近年の科学技術絶え間無い発展と改良、及び一般国民生活消費レベルが高くなったことにより、電子体温計は、日増しに使用者の信頼を得、次第に病院等の公共医療領域、一般家庭の中において、健康医療保健の必需品として無くてはならないものとなった。
【考案の開示】
【考案が解決しようとする課題】
【０００６】
通常、電子体温計を用いて嬰児の体温を測定するとき、嬰児の年齢は小さくじっとしていないので、正確な体温を測定することは容易ではない。嬰児がおしゃぶりを吸っている時であれば、情緒は比較的安定した状態であり、この時に体温測定することができる。これにより、おしゃぶりに体温測定器のついたおしゃぶり体温計は生まれた。  
【０００７】
しかし、おしゃぶり体温計は通常その測定器本体（温度感応部品、プリント基板）とおしゃぶりが結合され一緒になっており、分離し取り外すことができず、よって下記のような多くの欠点をもたらしている。１、嬰児の抵抗力は弱く、各種病毒、細菌の感染を受けるのを防ぎ、使用者は常々清潔にし、おしゃぶりを洗い、よって、水を使って清浄するとき、測定器本体は濡れて故障しやすい。２、測定器本体とおしゃぶりが結合され一体となっているので、おしゃぶりが噛まれて壊れた時、一式全てを捨てねばならず、実に無駄である。３、温度感応部品はおしゃぶり本体の中にあり、よって何時も噛まれて故障し、測定器本体とおしゃぶりが結合し一体な為、一式全てを捨てねばならず、実に無駄である。４、おしゃぶり体温計を用いて体温測定することは衛生安全上から見て、また、加えて、測定器本体とおしゃぶりが結合し一体となっているため、通常のおしゃぶり体温計は一個人専属用となり、医療機関で使用するには実に経済的に見合わない。  
【０００８】
その外、伝統的な電子体温計で体温測定することは、測定温度が安定に達すると、蛍光燈部分が光るか、アラームが鳴り始め、測定温度が安定したことを知らせ、ディスプレイに測定結果を表示する。バックライト装置は設置されていない為使用者は容易に測定結果を判別できない。或いは、表示器がバックライト装置を持っていても、バックライト装置の光る時間が短く、使用者は体温計を取り上げ、温度計の数値を見るとき、バックライトの光は既に消え、測定結果の見分けが容易ではない。  
【０００９】
測定温度が安定後に音響信号を発生させるため、慣用な電子体温計にはアラーム器がついているが、アラーム器は音響構造を持っているため、体温計の体積を非常に占領している。
【課題を解決するための手段】
【００１０】
温度感応部品＜温度感知部品sensor＞と連接ユニットを持つおしゃぶり体温計の構造である。ディスプレイ器を持つ測定器は集積回路によってコントロールされ、且つ温度感応部品の付いていない不完全な体温測定電子回路である。電機抵抗値の差違は温度感応部品に於いて相応の範囲（標準の状況下に於いて）内の参考電気抵抗＜おしゃぶりの中に設置可能な＞に保たれる。連接部品と結合した連接ユニットを連接部品に結合させると、完全な体温測定器の構造となる。
【考案の効果】
【００１１】
本考案はおしゃぶり体温計の構造に関するものである。特に、おしゃぶりの中に温度感応部品を設置し、嬰児がおしゃぶりを吸う時に体温測定する以外に、測定器と温度感応部品は別々になっており、取り外せるので、使用者がおしゃぶり＜温度感応部品＞を交換でき、また清潔に消毒しやすいので、衛生面、安全面でも効果がある。更に、本考案は以下の目的を有し、即ち、（一）；おしゃぶりと測定装置、ツーピース式の取り外し可能な構造を構成するおしゃぶり体温計の提供。 おしゃぶり装置に、内蔵の温度感温装置とコネクタを含み、測定装置はディスプレイ器、プリント基板、およびケーブル要素を含んでいる。（プリント基板は集積回路によって主に制御される。）プリント基板は温度感温部品(例えば、温度センサ)と接続することによって完全なものになる、不完全な体温測定サーキットをもっている。体温測定サーキットは温度感応部品に於いて、電気抵抗差違が相応の範囲（通常の状況下で）内の参考電気抵抗を持っている。コネクタとケーブルを接合することによって、おしゃぶり装置と測定装置が結合した時、完全で機能的なおしゃぶり温度計が形成される。このツーピースの構造は、取り替えやすく、おしゃぶり（温度感応部品）の交換及び掃除消毒に便利である。本考案の目的（二）；温度感応部品と参考電気抵抗の抵抗値の正確な組み合わせる必要無しに、正確に体温を測定できるおしゃぶり体温計の提供。おしゃぶり体温計は、おしゃぶり装置と測定装置でツーピースの取り外し可能な構造を構成する。おしゃぶり装置は内蔵の温度感応部品、コネクタ、および電気抵抗差が、測定温度と予定された温度値の温度差に対応する測温体に比例している参考電気低抗体を持っている。測定装置はディスプレイ器、集積回路によって主に制御されたプリント基板、およびケーブルを持っている。プリント基板はディスプレイ器、感応部品(例えば、温度感知部品sensor)と接続することによって完全なものになる、不完全な体温測定サーキット、および参考電気低抗体を含んでいる。コネクタとケーブルを接合することによって、おしゃぶり装置と測定装置が結合した時、完全で効果のあるおしゃぶり温度計が形成される。使用者はおしゃぶり＜温度感応部品＞を交換でき、清潔に消毒するのに便利である。測定器を組み合わせて使用時、温度感応部品と参考電気抵抗の抵抗値を調節する
必要はなく、正確な温度測定をすることができる。    本考案の目的（三）；使用者が簡単に測定結果を判別できるおしゃぶり体温計の構造である。主に、測定器内のディスプレイ器の後ろにバックライトを取り付け、また、コントロール電子回路中に時間延長電子回路及び２重設置回路を加えて設置し、測定温度が安定した時、すぐにバックライトの照明が起動し、適当な時間＜約５−１０秒＞延長し、測定結果が容易に判別できる。もし、使用者がバックライトが光っている時間内に測定結果をはっきり見ることが出来なかった場合でも、電源を切る前に電源スイッチを押すとバックライトはすぐに起動し、電源スイッチをはなすまで光り続け、電源スイッチを離すと同時に電源は切れる。本考案の目的（四）；アラーム装置が占領しない集積回路の電子体温計の構造である。体温測定のプリント基板上に穴を開け、アラーム装置を穴部分に固定させ、音響装置を省略し、体積の節約の効果もある。
【考案を実施するための最良の形態】
【００１２】
図1、図2が示すように、本考案実施時の優れた構造は、おしゃぶり体温計が温度感応部品をもつおしゃぶり（１０）及び温度測定可能な測定器（２０）の2つの部分の組み合わせでできており、分解できることである。おしゃぶり（１０）と測定器（２０）は接続され、結合している。 下記に詳細な説明をする。  
【００１３】
おしゃぶり（１０）は乳首部分（１１）と受け皿部分（１２）からなる。柔らかい材質によって作られている受け皿部分（１２）には穴（１２１）が開いており、乳首部分（１１）と繋がっている。受け皿部分（１２）には円形の容器を設置する部分（１２２）があり、いくつかの差し込み足（１３１）がついている連結部分（１３）は容器の設置部（１２２）の中に置かれており、差し込み足（１３１）が外向きの状態で；連結部分（１３）は温度に感応できる温度感応部品（１４）＜温度感知ｓｅｎｓｏｒ＞、温度感応部品（１４）は乳首（１１）の中にある固定する突起（１１１）の中に差し込まれて固定される。＜或いは、固定する突起（１１１）が無い場合は、温度感応部品（１４）は乳首部分（１１）の中に直接貼り付け固定される。＞  
【００１４】
測定器（２０）は周縁に形成されている凹部（２３）において硬い材質のプラスチック材の上蓋（２１）、下蓋（２２）からなる。測定器（２０）本体の中に軟質或いは硬質材のプリント基板（２４）、電源スイッチ（２４１）、コントロールスイッチ（２４２）、ディスプレイ器＜ＬＣＤ＞（２４３）、アラーム器（２４４）等の部品、其の中には電源スイッチ（２４１）、コントロールスイッチ（２４２）は測定器本体（１０）の表面の外に少しせり出している。アラーム器（２４４）はプリント基板（２４）上に開いている穴（２４５）、アラーム器（２４４）は慣用的な箱状の音響装置ではなくシート状であり、体積を減らすことができる。アラーム器（２４４）は電源を入れた後、計測温度が安定した時と電源スイッチを入れる時、切る時にアラーム音＜音が鳴る＞で知らせる。ディスプレイ器（２４３）の下にはバックライト（２４６）を設置し、プリント基板（２４）上には、不完全な電子体温測定電子回路、不完全な電子体温測定電子回路は主にコントロールする集積回路と外に接続されている電子部品からなっている。温度感応部品における 電子部品の抵抗値の差違は相応の範囲内（一般的状況下において）の参考電気抵抗（図式上には書きだされていない）である。電源スイッチ（２４１）を入れても、測定電子回路は不完全なので、体温測定を進めることはできない、これによって、ディスプレイ（２４３）は計測結果の信号を受け取れない。ディスプレイ（２４３）上に測定結果無しの特定の信号（Err等）が表示される。測定器（２０）は体温測定の機能を備えていない、測定器（２０）の中の不完全な電子回路は、連接器とおしゃぶり（１０）の温度感応部品（１４）をつなげた後、やっと効果がでる。測定器（２０）は測定回路の大部分を含み、温度感応部品（１４）が収集した温度の信号を計算処理し、ディスプレイ器（２４３）へ温度をあらわす数字として信号を送る。プリント基板（２４）は弾性のある連接部品（２５）を接続している。その弾性のある連接部品は（２５）は一定の長さを持っており、測定器（２０）にある凹部分（２３）上に於いて巻いておくことができ、長さを調節でき、弾性のある連接部品（２５）の一端には連接部品（２６）が設置されており、そこに連結部分（１３）のプラグ（１３１）が差し込まれて結合する。  
【００１５】
本考案のおしゃぶり（１０）と測定器（２０）接続器のプラグ部分（１３）を接続器の受け口部分（２６）に差し込み、接続結合され、おしゃぶり（１０）と測定器（２０）は連結し固定され抜け落ちない。  
【００１６】
測定器（２０）は連接構造部分とおしゃぶり（１０）が 繋がった時 、測定器（２０）に於いて不完全な電子体温測定電子回路とおしゃぶり（１０）中の設定温度感応部品（１４）が一緒に結合され、この時不完全な電子体温測定回路は即座に完全な電子体温測定回路となり、測定誤差は一定の範囲内となる。測定器（２０）とおしゃぶり（１０）が結合後、自動的に或いは電源スイッチ（２４１）の触発により、測定温度が安定に達するまでずっと電子体温測定電子回路は信号を発し続ける。体温測定の重点は正確さにあり、前面で既に探求している参考電気抵抗とコンデンサー（温度感応部品）の抵抗値の組み合わせの結果、交換性があるばかりでなく、これによっておしゃぶり（１０）及び測定器（２０）は実際生産梱包される時において、もっとも正確な温度を計測することが出来る温度感応部品（１４）に対して最も適当な抵抗値をもち、参考電気抵抗は同一梱包中に分類梱包され、或いは商品上に抵抗値類別刑型式を表記することで使用者は選択し組み合わせ使用できる。これによって、使用者は正確ではない抵抗値の組み合わせを選択することがなく、正確な測定温度を得ることができる。  
【００１７】
上述のように、本作品のおしゃぶり（１０）と測定器（２０）組み合わせは簡単、容易に取り外すことができ、おしゃぶり（１０）＜温度感応部品（１４）＞を交換でき、また清潔に消毒するのにも便利である。      
【００１８】
その外、測定器（２０）内のディスプレイ（２４３）は後部にバックライトシート（２４６）を持っているので、コントロール電子回路中にバックライトディスプレイ及び重設電子回路を加えて設置し、測定器（２０）とおしゃぶり（１０）は一つの完全な電子体温計測電子回路並びに体温測定を執行し、測定温度が安定したとき、アラーム（２４４）は温度が安定したという信号を発する。安定したという信号が終わった後の一定時間内に、すぐにバックライトシート（２４６）は照明が光り出し、測定結果をより容易に識別させる。ディスプレイ（２４３）の後ろのバックライトシート（２４６）が起動し、照明する時間は約５−１０秒である。もし使用者がバックライトディスプレイ時間内に測定結果をはっきり見ることできない場合は、電源を切る前に電源スイッチ（２４１）を押せば、バックライトはすぐに起動し、また電源スイッチ（２４１）をはなすまでバックライトはついたままである。電源スイッチ（２４１）を押すのを止めれば同時に電源はきれる。  
【００１９】
感度感応部品（１４）の測定結果  測定器（２０）の中の中央コントロールシステムにワイヤレスでも伝わる。その構造上、温度感応部品（１４）或いはプラグ部分（１３）の中に発射電子回路＜図中には示されていない＞、測定器（２０）の不完全な電子体温測定電子回路中にワイヤレス電送ラインを入れて、体温測定結果は中央コントロールシステム迄電送される。  
【００２０】
本考案の実施時の２つ目の素晴らしい構造は、参考電気抵抗はおしゃぶり（１０）中において設置され、それとおしゃぶり（１０）中の温度感応部品（１４）は一緒になり結合し、結合時にもっとも正確な温度の温度感応部品（１４）を計り出すことができる最も素晴らしい組み合わせを選択する。参考電気抵抗、よって使用は温度感応部品と参考電気抵抗の抵抗値の組み合わせを選択するのに時間をかけることなく、正確な測定温度を得ることができる。  
【００２１】
図3、図4、図5が示すように、本考案のおしゃぶり（１０a）ともう一つの構造乳首部分（１１a）、土台部分（１２a）につながっている弾力性のある蓋（１２１a）,蓋（１２１a）には一つの穴（１２１１a）が開いている。円形の容器部分（１２２a）中には四角形のカセット入れ（１２３a）、四角形のプラグ部品（１３a）、プラグ受け口（２１a）、おしゃぶり（１０a）と測定器（２０a）は分離し、単独使用するとき、おしゃぶり（１０a）の蓋（１２１a）は円形の容器部分（１２２a）にかぶせることができる。おしゃぶり（１０a）中に設置されたプラグ部分（１３a）及び温度感応部品（１４a）は塵、湿気を防ぐ保護作用がある。  
【００２２】
図6、図7が示すように、本考案のおしゃぶり（１０b）温度感応部品（１１b）はカバー（１２b）によって覆われており、カバー（１２b）はおしゃぶりの乳首部分（１３b）中に固定されることにより温度感応部品（１１b）も固定される。  
【００２３】
以上述べた通り、本作品のおしゃぶり体温計の構造は測定器とおしゃぶり＜温度感応部品＞との２つの部分で構成され、取り外すことができ、使用者は容易に正確な温度を計れるだけでなく、おしゃぶり＜温度感応部品＞を簡単に取り替えることができ、清潔に消毒するのに便利であり、衛生、安全性にも優れている。
【図面の簡単な説明】
【００２４】
【図１】本考案の立体図。
【図２】本考案の分解図。
【図３】本考案おしゃぶりの別の一つの構造の立体図。
【図４】本考案おしゃぶりの別の一つの構造の分解図。
【図５】本考案おしゃぶりの別の一つの構造の円形の容器部上における蓋部分の実施例図
【図６】本考案おしゃぶりの別の一つの構造の分解図。
【図７】本考案おしゃぶりの別の一つの構造の縦断図。
【符号の説明】
【００２５】
10  おしゃぶり １１  ノズル（nozzle）１１１  締め付けの突出ユニット（unit）１２  受けユニット１２１  孔 １２２  収容部1３  コネクター（connector）１３１  挿入ピン（pin）１４  温度の感知ユニット２０  計測本体２１  上カバー(cover) ２２  下(cover)２３  凹み部２４  回路基板２４１  電源スイッチ（switch）２４２  制御スイッチ２４３  表示装置 ２４４  ブザー(buzzer)２４５  貫通孔２４６  バック  ライト  イトシート(back light sheet)２５  フレキシブル(flexible)  接続ユニット２６  接続コンポーネント１０a  おしゃぶり１１a  ノズル（nozzle）１２a  受けユニット１２１a  カバー１１a  孔 １２２a  収容部１２３a  嵌め込み台座 １３a  コネクター１４a  温度の感知ユニット２０a計測本体２１a  接続コンポーネント １０b  おしゃぶり１１b  温度の感知ユニット １２b  カバー１３b  ノズル
【図１】
0003161231.tif 000003
【図２】
0003161231.tif 000004
【図３】
0003161231.tif 000005
【図４】
0003161231.tif 000006
【図５】
0003161231.tif 000007
【図６】
0003161231.tif 000008
【図７】
0003161231.tif 000009
【手続補正書】
【提出日】平成22年3月25日(2010.3.25)
【手続補正１】
【補正対象書類名】実用新案登録請求の範囲
【補正対象項目名】全文
【補正方法】変更
【補正の内容】
【実用新案登録請求の範囲】
【請求項１】
口に咥える乳首部と、鍔部とによってなり、かつ温度検知素子と、該温度検知素子と電気的に接続する接栓とを内設してなるおしゃぶり部と、
基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなり、
該接線に該接線座を接続することによって、該おしゃぶり部と該データ処理部とを着脱自在に接続するとともに、該おしゃぶり部の温度検知素子と該不完全な温度測定回路とが電気的に接続し、完全な温度測定回路を形成して体温測定に供するように構成することを特徴とするおしゃぶり体温計。
【請求項２】
前記データ処理部のリファレンス抵抗が、該おしゃぶり部の乳首部内に設けられることを特徴とする請求項１に記載のおしゃぶり体温計。
【請求項３】
前記おしゃぶり部の乳首部と鍔部とが軟質の材料によって一体に形成されることを特徴とする請求項１に記載のおしゃぶり体温計。
【請求項４】
前記鍔部の一方の面に環状壁を一体に形成して該環状壁に囲まれる領域に接続座を形成し、該接続座に該接栓を設け、該接栓に該接栓座を接続した場合、接栓座が該接続座内に収納されるように構成するとともに、該該鍔部に、弾性を有する材質によってなり、かつ溝部を形成したキャップ部を、ベルト状部を介して該鍔部に連結し、該キャップ部が該環状壁に冠着するように構成することを特徴とする請求項１に記載のおしゃぶり体温計。
【請求項５】
前記基板に取り付け孔を穿設して、該取り付け孔にチップ状の薄型のブザーを嵌設することを特徴とする請求項１、もしくは請求項４に記載のおしゃぶり体温計。
【請求項６】
前記表示装置の背面側にバックライトを設けるとともに、該制御回路にバックライトのリレー回路とリセット回路とを設けることを特徴とする請求項１。もしくは請求項４に記載のおしゃぶり体温計。
【請求項７】
前記おしゃぶり部の該温度検知素子を設ける部位か、もしくは該接栓を設ける部位にエミッタ回路を設け、かつ該データ処理部の該不完全な温度測定回路に無線送信回路を設けて、体温を測定したデータが制御回路に出力されるように構成することを特徴とする請求項１、もしくは請求項４に記載のおしゃぶり体温計。
【請求項８】
前記不完全な温度測定回路を設ける基板に、可撓性を有し、かつ所定の長さを有する導体線の一端を接続し、該導体線の他端を該接栓座に接続するとともに、該データ処理部に凹状部を形成し、該胴体線を巻き取って長さを調整できるように構成することを特徴とする請求項１、もしくは請求項４に記載のおしゃぶり体温計。
【請求項９】
前記おしゃぶり部に設ける該温度検知素子が、該乳首部内に固定する保護カバーで覆われて、固定されることを特徴とする請求項１、もしくは請求項４に記載のおしゃぶり体温計。
【手続補正２】
【補正対象書類名】明細書
【補正対象項目名】全文
【補正方法】変更
【補正の内容】
【考案の詳細な説明】
【技術分野】
【０００１】
この考案は体温計に関し、特に体温計とおしゃぶりが一体となったおしゃぶり体温計に関する。
【背景技術】
【０００２】
電子体温計が発明される以前、人体の体温を測る場合は水銀体温計が広く用いられていた。水源体温計は、水銀の熱を受けて自然に膨張し、温度が下ると自然に収縮する原理を利用して作られた。水銀体温計で体温を測る場合、球体部に封入された水銀が熱膨張し、熱膨張した部分の水銀がガラスの毛細管内に至り、外面に刻印した目盛から、体温の測定結果を読取る。
【０００３】
しかしながら、近年になって、水銀による汚染が厳重な問題となり、ここから電子技術を応用して体温を測る電子体温計が生まれ、従来の水銀体温計に取って代わるようになった。
【０００４】
電子体温計の温度測定について述べる。集積回路内に構築された計時回路を利用して、外部に接続するリファレンス抵抗とコンデンサとによって構成されるＲＣ発振回路が特定の回数だけ発振するのに必要とする時間を計算して基準時間とする。次いで、感熱抵抗（温度検知素子）と、該ＲＣ発振回路内の同一のコンデンサとによってＲＣ発振を行なうよう切り替えて、該基準時間内における発振回数を得る。得られたデータをマイクロプロセッサ内で演算し、ディジタル信号に転換してディスプレーに出力する。該ディスプレーで表示される数値が、即ち、測定した温度値である。
【０００５】
温度値の演算は上述の動作に基づくことから、リファレンス抵抗とコンデンサとによって構成されるＲＣ発振回路と、感熱抵抗及び同一のコンデンサとによってなるＲＣ発振回路とを、特定の条件下において、集積回路内に構築したオシレータで順番に発振させ、発振周波数が等しくなれば、即ち、集積回路に予め設定した温度値（一般には３７℃、もしくは９８．６°Fに設定する）に達したことになる。この発振周波数が一致した場合の温度値を基準として、上述する両発振周波数の差によって表される温度を推算する。
【０００６】
上述するリファレンス抵抗を含む発振回路と、感熱抵抗を含む発振回路は、同一のコンデンサを共有しているため、演算した後の温度値の差を一定の範囲内に保持しようとするのであれば、特定の温度下（一般環境温度における設定値は、リファレンス抵抗を２５℃とし、感熱抵抗を３７℃とする）におけるリファレンス抵抗と感熱抵抗の抵抗値の差も、該一定の範囲に対応する範囲内に保持しなければならない。
【０００７】
従来の電子体温計の測定回路は、上述するリファレンス抵抗と感熱抵抗とを回路基板に固定して構成する。このリファレンス抵抗と感熱抵抗の抵抗値を対比した結果から、互換性を具えないことがわかる。
【０００８】
従来のガラス管に水銀などを封入した体温計は、ガラス管であるが故に、容易に破損し、汚染を引き起こす。但し、電子体温計は係る欠点を有しない。しかも精確な温度測定を達成し、かつ従来の温度計に比して温度測定の時間が短いという特性を有する。このため、汚染を引き起こしやすい従来の水銀体温計に取って代わりつつある。しかも、金年来科学技術の弛まぬ進化と改良、及び国民一般の生活水準の向上にともない、電子体温計は日増しに消費者の信頼を勝ち得、病院など公共の医療の分野、もしくは過程において、欠くことのできない医療保健の必需品となりつつある。
【０００９】
電子体温計で乳幼児の体温を測る場合、乳幼児は落ち着きがなく、常に体を動かしているため、正確に測定することは難しい。しかし、乳幼児はおしゃぶりを咥えると、精神的に安定した状態になる。このような状態になった時は、体温を測るのに適している。ここから、おしゃぶりと体温計とを結合させたおしゃぶり体温計が生まれた。
【００１０】
従来のおしゃぶり体温計は、通常、体温計本体（感熱素子と回路基板とを含む）と、おしゃぶりとを一体に結合している。このため、自在に分解、組み立てできる分離式にはなっていなく、ここから多くの欠点が生まれている。
【００１１】
まず、乳幼児は体の抵抗力が弱い。各種ウィルス、細菌などからの感染をふせぐためには、おしゃぶりは常に洗浄して清潔を保たなければならない。仮に、水洗いするのであれば、体温計本体が湿気を受けるため、容易に故障する。
【００１２】
また、感熱素子がおしゃぶり本体内に設けられるため、使用時に噛み砕かれる恐れがある。このような場合、体温計本体とおしゃぶりが一体に連結されていることから、おしゃぶり体温計全体を廃棄しなければならなくなり、浪費となる。
【００１３】
さらに、おしゃぶり体温計で体温を測る場合、体温計本体とおしゃぶりとが一体に結合していることから、衛生上の安全を考慮して、通常は一つのおしゃぶり体温計を一人の専用にする。然るに、病院、診療所でこのような使い方をすれば、経済的効果が得られない。
【００１４】
また、従来の電子体温計は、測定する温度が安定した際、発光手段が起動して発光するか、もしくはブザーが音声を発生させて、測定温度が安定したことを知らせる。但し、測定した温度を表示する表示装置には、通常バックライトが設けられていなく、温度を測定した結果が容易に認識できるよう補助する効果が得られない。バックライトが設けられていたとしても、バックライトが発光する時間が極めて短く、このため測定値を表す数字を視認しようとすると、往々にしてバックライトの光が消えて、測定した結果を視認しにくくなる。
【００１５】
さらに、従来の電子体温計にはブザーなどの音声発生装置が設けられていて、測定温度が安定すると音声を発生するように設定されている。しかしながら、ブザーなどの音声発生手段は、スピーカー構造を有するため、体温計内において占める体積が極めて大きい。
【考案の概要】
【考案が解決しようとする課題】
【００１６】
この考案は、温度検知素子を内設したおしゃぶり部が自在に交換でき、該おしゃぶり部の洗浄、消毒を容易に行なうことのできるおしゃぶり体温計を提供することを課題とする。
【００１７】
また、この考案は感熱抵抗のリファレンス抵抗に対する抵抗値の差を、特定の範囲内に設定することを必要とせず、正確に温度を測定できるおしゃぶり体温計を提供することを課題とする。
【００１８】
また、この考案は表示装置のバックライトの発光を任意に制御でき、温度の表示が容易に視認できるおしゃぶり体温計を提供することを課題とする。
【００１９】
さらに、この考案はブザーなどの音声発生手段が多大な体積を占めることのない電子体温計の構造を提供することを課題とする。
【課題を解決するための手段】
【００２０】
そこで、本考案者は従来の技術に見られる欠点に鑑み鋭意研究を重ねた結果、口に咥える乳首部と、鍔部とによってなり、かつ温度検知素子と、該温度検知素子と電気的に接続する接栓とを内設してなるおしゃぶり部と、
基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなり、該接線に該接線座を接続することによって、該おしゃぶり部と該データ処理部とを着脱自在に接続するおしゃぶり体温計の構造によって課題を解決できる点に着眼し、かかる知見に基づいて本考案を完成させた。
【００２１】
以下この考案について具体的に説明する。
請求項１に記載するおしゃぶり体温計は、口に咥える乳首部と、鍔部とによってなり、かつ温度検知素子と、該温度検知素子と電気的に接続する接栓とを内設してなるおしゃぶり部と、
基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなる。
【００２２】
かかる構造のおしゃぶり体温計は、該接線に該接線座を接続することによって、該おしゃぶり部と該データ処理部とを着脱自在に接続するとともに、該おしゃぶり部の温度検知素子と該不完全な温度測定回路とが電気的に接続し、完全な温度測定回路を形成して体温測定に供することができる。
【００２３】
請求項２に記載するおしゃぶり体温計は、請求項１におけるデータ処理部のリファレンス抵抗が、該おしゃぶり部に設けられる。
【００２４】
請求項３に記載するおしゃぶり体温計は、請求項１におけるおしゃぶり部の乳首部と鍔部とが軟質の材料によって一体に形成される。
【００２５】
請求項４に記載するおしゃぶり体温計は、請求項１における鍔部の一方の面に環状壁を一体に形成して該環状壁に囲まれる領域に接続座を形成し、該接続座に該接栓を設け、該接栓に該接栓座を接続した場合、接栓座が該接続座内に収納されるように構成するとともに、該該鍔部に、弾性を有する材質によってなり、かつ溝部を形成したキャップ部を、ベルト状部を介して該鍔部に連結し、該キャップ部が該環状壁に冠着するように構成する。
【００２６】
かかる構造のおしゃぶり体温計は、該おしゃぶり部に該データ処理部を接続することなく、該おしゃぶり部を単独で使用するか、もしくは保管する場合、該キャップ部を該環状壁に冠着することによって、該接栓に塵が付着したり、該乳首部内に湿気が進入したりすることを防ぐことができる。
【００２７】
請求項５に記載するおしゃぶり体温計は、請求項１、もしくは請求項４における基板に取り付け孔を穿設して、該取り付け孔にチップ状の薄型のブザーを嵌設する。
【００２８】
請求項６に記載するおしゃぶり体温計は、請求項１、もしくは請求項４における記表示装置の背面側にバックライトを設けるとともに、該制御回路にバックライトのリレー回路とリセット回路とを設ける。
【００２９】
請求項７に記載するおしゃぶり体温計は、請求項１、もしくは請求項４におけるおしゃぶり部の該温度検知素子を設ける部位か、もしくは該接栓を設ける部位にエミッタ回路を設け、かつ該データ処理部の該不完全な温度測定回路に無線送信回路を設けて、体温を測定したデータが制御回路に出力されるように構成する。
【００３０】
請求項８に記載するおしゃぶり体温計は、請求項１、もしくは請求項４における不完全な温度測定回路を設ける基板に、可撓性を有し、かつ所定の長さを有する導体線の一端を接続し、該導体線の他端を該接栓座に接続するとともに、該データ処理部に凹状部を形成し、該胴体線を巻き取って長さを調整できるように構成する。
【００３１】
請求項９に記載するおしゃぶり体温計は、請求項１、もしくは請求項４におけるおしゃぶり部に設ける該温度検知素子が、該乳首部内に固定する保護カバーで覆われて、固定される。
【図面の簡単な説明】
【００３２】
【図１】この考案によるおしゃぶり体温計の外観と局部拡大断面を示した説明図である。
【図２】図１に開示するおしゃぶり体温計の分解図である。
【図３】第２の実施の形態によるおしゃぶり体温計の外観を示した斜視図である。
【図４】図３に開示するおしゃぶり体温計の分解図である。
【図５】図３に開示するおしゃぶり体温計の使用態様の一を示した斜視図である。
【図６】他の実施の形態によるおしゃぶり体温計のおしゃぶり部の分解図である。
【図７】図７に開示するおしゃぶり部の構造を示した断面図である。
【考案を実施するための形態】
【００３３】
この考案は、温度検知素子を内設したおしゃぶり部とデータ処理部とによってなり、該おしゃぶり部を交換でき、洗浄、消毒を容易に行なうことのできるおしゃぶり体温計を提供するものであって、
該おしゃぶり部は、口に咥える乳首部と、鍔部とによってなり、かつ温度検知素子と、該温度検知素子と電気的に接続する接栓とを内設してなり、
該データ処理部は、基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなり、
該接線に該接線座を接続することによって、該おしゃぶり部と該データ処理部とを着脱自在に接続するとともに、該おしゃぶり部の温度検知素子と、該データ処理部の不完全な温度測定回路とを電気的に接続して完全な温度測定回路を形成するように構成してなる。
係るおしゃぶり体温計の構造と特徴を詳述するために、具体的な実施例を挙げ、図面を参照にして以下に説明する。
【実施例１】
【００３４】
図１、２に開示するように、この考案によるおしゃぶり体温計は、自在に着脱できる二つの部分に分かれたセパレートタイプであって、該二つの部分とは、測温部となるおしゃぶり部１０と、測定した体温にかかるデータを計算して表示するデータ処理部２０である。おしゃぶり部１０とデータ処理部２０とは電気的に接続するよう構成し、かかる構造によって、完全な体温測定構造を構成して、おしゃぶり部が交換でき、正確な体温測定を達成し、かつ洗浄、消毒に便利なおしゃぶり体温計が得られる。
【００３５】
おしゃぶり部１０は、口に咥える乳首部１１と鍔部１２とによって構成するか、もしくは乳首部１１と鍔部１２とを軟質の材質で一体に形成してもよい。鍔部１２には、乳首部１１を嵌挿する取り付け孔１２１を穿設する。また、取り付け孔１２１の外周に沿って環状壁１２２を形成し、環状壁１２２に囲まれる領域を収納領域とし、環状壁１２２に囲まれる収納領域に複数のピン１３１を具える接栓１３を設ける。接栓１３を該収納領域に設ける場合は、ピン１３１を外方向に向ける。
【００３６】
接線１３は、温度検知素子１４（例えば、センサー）に電気的に接続する。温度検知素子１４は、乳首部１１の内壁に突起状の固定座１１１を一体に形成し、固定部１１１に嵌着して固定する。もしくは、乳首部１１内に固定座１１１を設けることなく、内壁に直接接着してもよい。
【００３７】
データ処理部２０は、硬質のプラスチック材によってなる上ハウジング２１と、下ハウジング２２とによってハウジングを構成し、軟質か、もしくは硬質の基板２４を該ハウジング内に設ける。該ハウジングは、側壁の外周面に凹状部２３を形成する。
【００３８】
基板２４には、電源スイッチ２４１と、制御スイッチ２４２と、例えば液晶表示装置などである表示装置２４３と、ブザー２４４とを含む回路素子を設ける。
【００３９】
電源スイッチ２４１と、制御スイッチ２４２とは、押釦、スライドキーなどがハウジング外部に露出する。
【００４０】
ブザー２４４は、基板２４に取り付け孔２４５を穿設して、取り付け孔２４５に嵌設する。また、ブザー２４４は、従来のスピーカー状のものではなく、チップ状の薄型のものを用いて、体積を効率よく縮小させる。ブザー２４４は、電源を入れた時、測定する温度が安定状態に達した時、もしくは電源を切った時に注意を喚起するブザー音が鳴る。
【００４１】
表示装置２４３は、背面にバックライト２４６を設ける。
【００４２】
基板２４には、不完全な電子体温計の温度測定回路を設ける。該不完全な温度測定回路は、メインコントロールを行なう集積回路と、該集積回路に電気的に接続する複数の電子素子とによって構成する。但し、例えばセンサーなどの電子感熱素子は含まない。
【００４３】
該集積回路に電気的に接続する電子素子には、リファレンス抵抗（図示しない）を含む。該リファレンス抵抗は、標準の状態において、温度検知素子に対する抵抗値の差が所定の範囲内に保持される。但し、該リファレンス抵抗をおしゃぶり部１０の乳首部１１内に設けてもよい。
【００４４】
基板２４に設けた温度測定回路は、電源スイッチ２４１を閉じても、該温度測定回路が不完全なため、温度測定を行なうことができず、表示装置２４３に測定結果は出力されない。表示装置２４３には測定結果が存在しないことを表す特定の表示（例えばErr）がなされる。
【００４５】
データ処理部２０は、体温を測定する機能を具えない。おしゃぶり部１０に設けた接栓１３を介して、データ処理部２０内に設けた不完全な温度測定回路を温度検知素子１４に電気的に接続して、はじめて有効な、かつ完全な電気回路を構成し、体温測定の機能が得られる。
【００４６】
データ処理部２０は、温度測定回路のほとんどの部分を含み、温度検知素子１４から得た温度測定信号を計算してディジタル信号に転換し、表示装置２４３に出力する。
【００４７】
基板２４には、可撓性を有する導体線２５の一端を接続する。導体線２５は所定の長さを有し、上ハウジング２１と下ハウジング２２とによって構成するハウジングの側壁に形成した凹状部２３に巻き取って、長さを調整する。また、導体線２５の他端は接栓１３が接続する接栓坐２６に接続する。
【００４８】
おしゃぶり部１０と、データ処理部２０とは、接栓１３と接栓坐２６とを接続して連結する。即ち、接栓坐２６に接栓１３を接続した状態でおしゃぶり部１０と、データ処理部２０とが着脱自在に連結し、予期せず外れることがない程度に固定される。
【００４９】
接栓１３と接栓坐２６とによってなる接続構造を介してデータ処理部２０と、おしゃぶり部１０とを接続すると、データ処理部２０に設けた不完全な温度測定回路と、おしゃぶり部１０に設けた温度検知素子１４とが電気的に接続して、該不完全な温度測定回路が、有効で完全な電子体温計の温度測定回路となる。その測定の誤差は所定の範囲内とする。
【００５０】
データ処理部２０と、おしゃぶり部１０とが接続すると、自動的に、もしくは電源スイッチ２４１を閉じることによって、温度測定回路が起動し、かつ測定温度が安定するまで測定信号が発生する。
【００５１】
体温の測定は、正確な測定を重視する。前述する背景技術に記載したように、リファレンス抵抗と感熱抵抗とを対比した結果から、互換性を具えないことがわかっている。よって、実際に本考案の温度計を生産し、おしゃぶり部１０と、データ処理部２０とを梱包する場合は、最も好ましい抵抗値の対比を形成する温度検知素子１４と、リファレンス抵抗とを同一類に類別して梱包するか、もしくは製品に抵抗値、形式の類別を標示して、使用者の選択に供するようにする。このようにすれば、使用者が温度測定精度の高くない抵抗値の組み合わせをすることがなく、正確な温度測定を達成することができる。
【００５２】
上述するように、この考案におけるおしゃぶり部１０とデータ処理部２０とは、着脱を自在に行なうこができる。よって、おしゃぶり部１０（温度検知素子１４）の交換が容易で、おしゃぶり部１０を外して洗浄、消毒する場合にも便利である。
【００５３】
データ処理部２０の表示部２４３は、背面側にバックライト２４６を設けるとともに、制御回路にバックライトのリレー回路とリセット回路とを設ける。
【００５４】
おしゃぶり部１０とデータ処理部２０とを接続して完全な電子体温計の温度測定回路を構成し、温度の測定を行なった場合、測定する温度が安定状態になると、ブザー２４４が音声を発生させて、測定温度が安定状態に到ったことを告げる。音声が発生した後、次いでバックライト２４６が発光して、温度測定結果の表示を視認しやすくする。表示装置２４３の背面側に設けるバックライト２４６が発光する時間を約５秒から１０秒とする。このバックライト２４６の発光する時間内に表示された温度測定結果を視認することができない場合は、電源を切る前に電源スイッチ２４１を長押しすると、電源スイッチ２４１を開放するまでバックライト２４６が発光する。電源スイッチ２４１を開放すると同時に電源が切れる。
【００５５】
また、温度検知素子１４が感知した温度データは、ワイヤレス方式でデータ処理部２０に設けた制御回路に出力してもよい。その場合、おしゃぶり部１０は、温度検知素子１４、を設ける部位もしくは接栓１３を設ける部位にエミッタ回路（図示しない）を設け、かつデータ処理部２０の電子体温計の不完全な温度測定回路に無線送信回路を増設して、体温を測定したデータが制御回路に出力されるように構成する。
【実施例２】
【００５６】
第２の実施の形態による体温計は、リファレンス抵抗をおしゃぶり部１０内に設け、温度検知素子１４と接続する。この場合、最も精確に温度を測定できるような、好ましい抵抗値の組み合わせを選択する。即ち、温度検知素子１４と該リファレンス抵抗との抵抗値が好ましい組み合わせになるようにする。よって、使用者は温度検知素子１４とリファレンス抵抗との抵抗値が好ましい組み合わせになるように、時間をかけて選択する必要がなく、精確な体温の測定を達成することができる。
【００５７】
図３、４、５に開示するように、おしゃぶり部１０ａは、鍔部１２ａと、鍔部１２ａの一方の面に設ける乳首部１１ａとを含んでなり、鍔部１２ａの他方の面には環状壁１２２ａを一体に形成し、かつ環状壁１２２ａに囲まれる領域内に方形の接続座１２３ａを一体に形成する。鍔部１２ａはさらにベルト状部を介して連結するキャップ部１２１ａを具える。キャップ部１２１ａは、弾性を有する材質によってなり、かつ溝部１２１１ａを形成してなる。接続座１２３ａ内には接栓１３ａを設け、接栓１３ａに接続する接栓座２１ａを接栓１３ａに接続した場合、接栓座２１ａが接続座１２３ａ内に収納される。
【００５８】
おしゃぶり部１０ａをデータ処理部２０ａと切り離して単独で使用する場合は、おしゃぶり部１０の鍔部１２ａに連結するキャップ部１２１ａを環状壁１２２ａに冠着する。よって、おしゃぶり部１０に設けた接栓１３ａ、及び温度検知素子１４ｓを塵、湿気などから保護することができる。
【００５９】
図６、７に、この考案におけるおしゃぶり部の他の実施の形態を開示する。図面に開示するように、おしゃぶり部１０ｂに設ける温度検知素子１１ｂは、保護カバー１２ｂで覆う。保護カバー１２ｂは乳首部１３ｂ内に粘着して温度検知素子１１ｂを固定する。
【００６０】
上述するように、この考案による体温計は、温度検知素子を具えるおしゃぶり部と、該おしゃぶり部に着脱自在に設けるデータ処理部とによってなる。よって、体温の正確な測定を容易に行なうことができるのみならず、温度検知素子を含むおしゃぶり部の交換、もしくは洗浄、消毒に便利であり、衛生的で、高い安全性が得られる。
【符号の説明】
【００６１】
１０ おしゃぶり部
１０ａ おしゃぶり部
１０ｂ おしゃぶり部
１１ 乳首部
１１ｂ 乳首部
１１１ 固定座
１２ 鍔部
１２ａ 鍔部１２ａ
１２ｂ 保護カバー
１２１ 取り付け孔
１２１ａ キャップ部
１２１１ａ 溝部
１２２ 環状壁
１２２ａ 環状壁
１２３ａ 接続座
１３ 接栓
１３ａ 接栓ａ
１３ｂ 乳首部
１３１ ピン
１４ 温度検知素子
２０ データ処理部
２１ 上ハウジング
２１ａ 接栓座
２２ 下ハウジング
２３ 凹状部
２４ 基板
２４１ 電源スイッチ
２４２ 制御スイッチ
２４３ 表示装置
２４４ ブザー
２４５ 取り付け孔
２４６ バックライト
２５ 導体線
２６ 接栓座
【手続補正書】
【提出日】平成22年5月18日(2010.5.18)
【手続補正１】
【補正対象書類名】実用新案登録請求の範囲
【補正対象項目名】請求項１
【補正方法】変更
【補正の内容】
【請求項１】
口に咥える乳首部と、鍔部とによってなり、かつ温度検知素子と、該温度検知素子と電気的に接続する接栓とを内設してなるおしゃぶり部と、
基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなり、
該接栓に該接栓座を接続することによって、該おしゃぶり部と該データ処理部とを着脱自在に接続するとともに、該おしゃぶり部の温度検知素子と該不完全な温度測定回路とが電気的に接続し、完全な温度測定回路を形成して体温測定に供するように構成することを特徴とするおしゃぶり体温計。
【手続補正２】
【補正対象書類名】実用新案登録請求の範囲
【補正対象項目名】請求項４
【補正方法】変更
【補正の内容】
【請求項４】
前記鍔部の一方の面に環状壁を一体に形成して該環状壁に囲まれる領域に接続座を形成し、該接続座に該接栓を設け、該接栓に該接栓座を接続した場合、接栓座が該接続座内に収納されるように構成するとともに、該鍔部に、弾性を有する材質によってなり、かつ溝部を形成したキャップ部を、ベルト状部を介して該鍔部に連結し、該キャップ部が該環状壁に冠着するように構成することを特徴とする請求項１に記載のおしゃぶり体温計。
【手続補正３】
【補正対象書類名】実用新案登録請求の範囲
【補正対象項目名】請求項５
【補正方法】変更
【補正の内容】
【請求項５】
前記表示装置の背面側にバックライトを設けるとともに、該制御回路にバックライトのリレー回路とリセット回路とを設けることを特徴とする請求項１、もしくは請求項４に記載のおしゃぶり体温計。
【手続補正４】
【補正対象書類名】実用新案登録請求の範囲
【補正対象項目名】請求項８
【補正方法】変更
【補正の内容】
【請求項８】
前記不完全な温度測定回路を設ける基板に、可撓性を有し、かつ所定の長さを有する導体線の一端を接続し、該導体線の他端を該接栓座に接続するとともに、該データ処理部に凹状部を形成し、該導体線を巻き取って長さを調整できるように構成することを特徴とする請求項１、もしくは請求項４に記載のおしゃぶり体温計。
【手続補正５】
【補正対象書類名】明細書
【補正対象項目名】００１８
【補正方法】変更
【補正の内容】
【００１８】
そこで、本考案者は従来の技術に見られる欠点に鑑み鋭意研究を重ねた結果、口に咥える乳首部と、鍔部とによってなり、かつ温度検知素子と、該温度検知素子と電気的に接続する接栓とを内設してなるおしゃぶり部と、
基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなり、該接栓に該接栓座を接続することによって、該おしゃぶり部と該データ処理部とを着脱自在に接続するおしゃぶり体温計の構造によって課題を解決できる点に着眼し、かかる知見に基づいて本考案を完成させた。
【手続補正６】
【補正対象書類名】明細書
【補正対象項目名】００２０
【補正方法】変更
【補正の内容】
【００２０】
かかる構造のおしゃぶり体温計は、該接栓に該接栓座を接続することによって、該おしゃぶり部と該データ処理部とを着脱自在に接続するとともに、該おしゃぶり部の温度検知素子と該不完全な温度測定回路とが電気的に接続し、完全な温度測定回路を形成して体温測定に供することができる。
【手続補正７】
【補正対象書類名】明細書
【補正対象項目名】００２３
【補正方法】変更
【補正の内容】
【００２３】
請求項４に記載するおしゃぶり体温計は、請求項１における鍔部の一方の面に環状壁を一体に形成して該環状壁に囲まれる領域に接続座を形成し、該接続座に該接栓を設け、該接栓に該接栓座を接続した場合、接栓座が該接続座内に収納されるように構成するとともに、該鍔部に、弾性を有する材質によってなり、かつ溝部を形成したキャップ部を、ベルト状部を介して該鍔部に連結し、該キャップ部が該環状壁に冠着するように構成する。
【手続補正８】
【補正対象書類名】明細書
【補正対象項目名】００２８
【補正方法】変更
【補正の内容】
【００２８】
請求項８に記載するおしゃぶり体温計は、請求項１、もしくは請求項４における不完全な温度測定回路を設ける基板に、可撓性を有し、かつ所定の長さを有する導体線の一端を接続し、該導体線の他端を該接栓座に接続するとともに、該データ処理部に凹状部を形成し、該導体線を巻き取って長さを調整できるように構成する。
【手続補正９】
【補正対象書類名】明細書
【補正対象項目名】００３１
【補正方法】変更
【補正の内容】
【００３１】
この考案は、温度検知素子を内設したおしゃぶり部とデータ処理部とによってなり、該おしゃぶり部を交換でき、洗浄、消毒を容易に行なうことのできるおしゃぶり体温計を提供するものであって、
該おしゃぶり部は、口に咥える乳首部と、鍔部とによってなり、かつ温度検知素子と、該温度検知素子と電気的に接続する接栓とを内設してなり、
該データ処理部は、基板と、電源スイッチと、表示装置と、リファレンス抵抗を具え、かつ電子感熱素子を除く部分によって構成される不完全な温度測定回路と、該不完全な温度測定回路を制御する制御回路と、接栓座と、を含んでなるデータ処理部と、によってなり、
該接栓に該接栓座を接続することによって、該おしゃぶり部と該データ処理部とを着脱自在に接続するとともに、該おしゃぶり部の温度検知素子と、該データ処理部の不完全な温度測定回路とを電気的に接続して完全な温度測定回路を形成するように構成してなる。
係るおしゃぶり体温計の構造と特徴を詳述するために、具体的な実施例を挙げ、図面を参照にして以下に説明する。
【手続補正１０】
【補正対象書類名】明細書
【補正対象項目名】００３４
【補正方法】変更
【補正の内容】
【００３４】
接栓１３は、温度検知素子１４（例えば、センサー）に電気的に接続する。温度検知素子１４は、乳首部１１の内壁に突起状の固定座１１１を一体に形成し、固定部１１１に嵌着して固定する。もしくは、乳首部１１内に固定座１１１を設けることなく、内壁に直接接着してもよい。